(57)【要約】陰極線管（１）は、中央長軸に平行な長辺（２２，２４）と中央短軸に平行な２２の短辺（２６，２８）を持つ矩形のマスクフレーム組立体（２０）に取り付けられるテンションマスク（３０）を含む。２つの長辺は２つの短辺に対して略直角に配置され、各辺は接続されて略平坦状の内側及び外側の周辺表面を持つ支持フレームを形成している。支持フレームは第1お熱膨張係数を持ち、フレームの少なくとも１つの辺の周辺表面上に第２の熱膨張係数を持つ張力除去部材（３１，３２，１３１，１３２，２３１，２３２，３３１、３３２）を含む。
2004535042.tif 000002
【特許請求の範囲】
【請求項１】
第１の熱膨張係数を持ち、互いに直交する中央長軸と中央短軸を含み、前記長軸に平行に延びる１対の対向する長辺と前記短軸に平行に延びる互いに対向する１対の短辺を持ち、各辺は外側周辺表面と内側周辺表面を持つ実質的に矩形のマスク支持フレームと；
前記対向する１対の辺に沿った取付け点において前記フレームに支持させたテンションマスクと；
前記辺の少なくとも１つに周辺表面に固定され、第２の熱膨張係数を持ち、マスクフレーム組立体の熱サイクルの間に前記取付け点が互いに向けて引き付けられようにようにした張力除去手段と、を有するテンションマスクフレーム組立体。
【請求項２】
前記第２の熱膨張係数は前記長辺の外側周辺表面及び前記短辺の内側周辺表面に沿う前記第１の熱膨張係数より相対的に低い請求項１のテンションマスクフレーム組立体。
【請求項３】
前記第２の熱膨張係数は前記長辺の内側周辺表面及び前記短辺の外側周辺表面に沿う前記第１の熱膨張係数より相対的に高い請求項１のテンションマスクフレーム組立体
【請求項４】
第１の熱膨張係数を持ち、対向する１対の長辺と前記長辺に略直角に配置される短辺を含み、前記各辺は接続されて内側及び外側の周辺表面を持つ略平坦状の連続して形成された実質的に矩形のフレームに張力が付与されて設けられたマスクと；
少なくとも1つの前記辺の少なくとも１の辺の周辺表面に沿って設けられた第２の熱膨張係数を持つ張力除去部材であって、前記張力除去部材の前記第２の熱膨張係数は前記第１の熱膨張係数より相対的に大きくて前記短辺の外側表面と前記長辺の内側表面に固定され、前記第２の熱膨張係数は前記第１の熱膨張係数より低く、前記短辺の内側表面と前記長辺の外側表面に固定される張力除去部材と、
を有するテンションマスクフレーム組立体を持つ陰極線管。
【請求項５】
前記フレームは、１対の支持ブレード部材を含み、各支持ブレード部材は、各支持ブレード部材を前記フレームの前記対向する１対の辺に取り付けるための少なくとも１つの略中央の取付け点を持つ請求項４に記載の陰極線管。
【発明の詳細な説明】
【技術分野】
【０００１】
本発明は一般的に陰極線管（ＣＲＴ）に関し、特に、張力を除去することとのできるＣＲＴのマスクフレーム組立体に関する。
【背景技術】
【０００２】
カラー陰極線管、即ちＣＲＴは、３本の電子ビームを発生し管のスクリーンに向けて発射する電子銃を含む。スクリーンは管のフェースプレートパネルの内面に位置し、３つの異なる発色蛍光体のアレイから造られている。形成されたマスク又はストランドを持つテンションマスクであるシャドウマスクが電子銃とスクリーンの間に配置される。電子銃から発射された電子ビームはシャドウマスクの孔を通り、スクリーンに当たり、蛍光体に光を発生させてフェースプレートパネルの観察面に画像が表示される。
【０００３】
ＣＲＴの１つの種類は、外部からの励起により大振幅の振動が生じやすくなることを減少するためマスクフレーム上に張力がかけられたストランドの組を有するテンションマスクを持っている。このような振動は電子ビーム全体がスクリーン上に誤った位置に照射され、ＣＲＴを観る者に不快な変則な画像をもたらす結果となる。
【０００４】
許容できる振動性能を達成するために必要なマスクの応力は作動温度におけるマスク材料の降伏点より下である。しかしながら、管の高い製造処理温度においては、マスク材料の特性は変化し、マスク材料の弾性限界は顕著に低下する。このような状態において、マスクの応力はマスク材料の弾性限界を超えて材料は非弾性的に伸びてしまう。処理後に管が冷却されると、ストランドは処理前より長くなり、マスクフレームは処理前と同様の張力レベルとなるようにマスクに張力を与えることができない。テンションマスク組立体の他の共通の問題は、マスクストランド材料がマスク支持フレーム材料より低い熱膨張係数を持つときに起きる。このようなケースにおいては、マスクストランドにかかる張力は熱処理中に増加し、より非弾性的歪みを引き起こす。
【０００５】
ＣＲＴの製造に使用される熱サイクルの間に有効に張力を除去し、マスクの伸長を緩和することのできるマスクフレーム組立体を開発することが望ましい。
【０００６】
発明の概要
本発明は、テンションマスクを持つカラー陰極線管に関し、特に、第1の熱膨張係数を持つ材料により造られたマスク支持フレームを有するテンションマスクフレーム組立体を持つＣＲＴに関する。マスク支持フレームは、第２の熱膨張係数を持つ材料により形成され、支持部材の周囲に取り付けられ、マスクの張力を除くことを容易にする張力除去部材を含む。
【０００７】
図面の簡単な説明
本発明は添付図面を参照にした具体例により説明され、ここで：
図１はテンションマスクフレーム組立体を示すＣＲＴの断面図である。
【０００８】
図２はテンションマスクフレーム組立体の外観図である。
【０００９】
図３はテンションマスクフレーム組立体の背面図である。
【００１０】
図４は昇温時テンションマスクフレーム組立体の背面図である。
【００１１】
図５は張力除去部材の他の配置を示す前面概略図である。
【００１２】
図６は張力除去部材の他の配置を示す前面概略図である。
【００１３】
図７は張力除去部材の他の配置を示す前面概略図である。
【００１４】
本発明の詳細な説明
図１は、矩形のフェースプレートパネル３とファンネル５に接続された管状ネック４を有するガラスエンベロープ２を持つ陰極線管（ＣＲＴ）１を示す。ファンネル５は陽極ボタン６からフェースプレートパネル３とネック４に向けて延びる内部導電コーティング（図示せず）を持っている。フェースプレートパネル３は観察フェースプレート８と、ガラスフリット７によりファンネル５に封止されている周辺フランジ又はサイドウォール９を有する。３色蛍光スクリーン１２がフェースプレートパネル３の内面に支持されている。
スクリーン１２は三角状に配置された蛍光体ラインを持つラインスクリーンで、各三角は夫々が３色の各々を含んでいる。テンションマスクフレーム組立体１０はスクリーン１２に対して所定の間隔を置いて取り外し可能に取り付けられている。図１の点線で示されている電子銃１３はネック４内の中央に設けられおり、３本のインライン電子ビーム、中央ビームと２本のサイド又は外側のビーム、を発生し、テンションマスクフレーム組立体１０を通して収束経路に沿ってスクリーン１２に案内する。
【００１５】
ＣＲＴ１はファンネル−ネック接続部の近傍に示されている外部磁気偏向ヨーク１４と共に使用されるように設計されている。起動されると、ヨーク１４は３本の電子ビームを磁界に作用させ、磁界はビームをスクリーン１２上で矩形のラスター状に水平及び垂直にスキャンさせる。
【００１６】
図２に示されているように、テンションマスク１０は２つの長辺２２、２４と２つの短辺２６、２８を含む。テンションマスクフレーム組立体１０の２つの長辺２２、２４は管の中央長軸Ｘに平行で、２つの短軸２６，２８は管の中央短軸Ｙに平行である。２つの長辺２２，２４と２つの短辺２６，２８は長軸と短軸に沿う連続する平坦なマスク支持フレーム２０を形成する。フレーム２０は、夫々、長辺２２，２４と短辺２６，２８の内外の表面の周辺エッジに沿って延びる細長い壁部２３，２５及び２７，２９を有する。
【００１７】
フレーム組立体１０は、孔開きのテンションシャドウマスク３０（便宜上概略的にシートとして図示している）を含み、それは、管の短軸Ｙに平行な複数のスリットを有する複数の金属ストリップ（図示せず）を含むものである。マスク３０は、フレーム２０にその取付け位置（３３）で固定された１対の支持ブレード部材４０に固定されている（図３−７に最も良く示される）。支持ブレード部材４０は支持ブレード部材４０の長手方向の端部まで、各支持ブレード部材４０中央から高さが変化するようにされており、テンションマスク３０の全体に亘り曲率と張力の整合性を許容している。
【００１８】
図３と４に示されるように、１対の張力除去部材３１，３２が壁部２５に沿う２つの長辺２２，２４の内側周辺面に固定されている。各張力除去部材３１，３２は、フレーム２０より高い熱膨張係数を持つ材料で形成されている。距離ａは、支持ブレード部材４０がフレーム２０に取り付けられる取付け位置３３の間隔ａを示す。図３は室温におけるフレーム２０と支持ブレード部材４０を示すものであることを理解されたい。図４は昇温時のフレーム２０と支持ブレード部材４０を示し、ここでは、取付け位置３３間の距離ａはやや小さくなっている。フレーム２０は、昇温時の膨張により長辺２２，２４が張力除去部材３１，３２によりＸ−Ｙ平面内においてフレーム２０の中央に向けて曲がるように設計されている。この効果は、張力除去部材３１，３２が相対的に高い熱膨張係数を持ち、加熱の間、フレーム２０の長辺２２，２４より早く膨張するために生じる。２つの長辺２２，２４の内側への曲がりは、取付け位置３３の間隔が高い温度で減少し、これにより支持ブレード部材４０を互いにマスクにおける張力を減少する方向に引っ張るためにマスク３０に対して張力減少の効果をもたらす。張力除去部材３１，３２は長辺２２，２４に溶接により固定されることが好ましいが、他の適当な技術も採用できることは理解されるべきである。
【００１９】
図５は第１の代替の実施例を示し、ここでは、張力除去部材１３１，１３２は壁部２３に沿って長辺２２，２４の外側周辺面に固定されている。ここでは、張力除去部材１３１，１３２はフレーム２０より相対的に低い熱膨張係数を持っている。張力除去部材１３１，１３２は、従って、加熱の間、長辺２２，２４より膨張の割合が小さく、同様に、取付け位置３３を互いに近づけるようにし、加熱の間に支持ブレード部材４０に取り付けられたマスクの張力を除去する。
【００２０】
図６は、他の代替例を示し、張力除去部材２３１，２３２は、壁部２９に沿って短辺２６，２８の外側周辺面上に固定されている。ここでは、張力除去部材２３１，２３２はフレーム２０の短辺２６，２８よりも相対的に高い熱膨張係数を持つ。したがって、張力除去部材２３１，２３２は、短辺２６，２８より大きい割合で膨張して外側に曲がり、長辺２２，２４を内側に曲げて、取付け位置３３を互いに近づく方向に向け、支持ブレード部材４０を互いに近づけ、加熱の間、マスク３０の張力を除去する。図４−５に示したように、張力除去部材２３１，２３２の熱膨張係数がフレーム２０より相対的に小さければ、張力除去部材２３１，２３２は壁部分２７に沿って短辺２６，２８の内側周辺面に取り付けてマスク３０の張力を除去することもできる。
【００２１】
図７は、更に他の代替の実施例を示し、フレーム２０の各側部に張力除去部材を含むものである。この実施例では、張力除去部材３３１，３３２は壁部２７に沿う短辺２６，２８の内側周辺面に適用される。また、張力除去部材１３１，１３２が図５に示されたように、長辺２２，２４の外側面に適用される。張力除去部材１３１，１３２と３３１，３３２の全てはフレーム２０のそれらが取り付けられる対応する辺より低い熱膨張係数を持つ。
【００２２】
張力除去装置が、それらが取り付けられる側辺より相対的に高い熱膨張係数を持てば、張力除去部材１３１，１３２は長辺２２，２４の内側表面に沿って取り付けることができ、張力除去部材３３１，３３２は短辺２６，２８の外側表面に沿って取り付けることができることは理解できるであろう。
【００２３】
上述のフレーム２０の周辺表面に沿って張力除去部材を配置することは例示的なものであり、他の配置も使用できることは理解されるべきである。ある実施例では、張力除去部材は、フレーム２０の長辺２６，２８及び短辺２２，２４によって形成される外側周辺表面及び内側周辺表面上に、壁部に沿って単独で配置できる。それとは別に、フレーム２０の１又は複数の壁部が、取付け位置３３の間隔を上述のように小さくしてマスク支持ブレード４０を互いの方向に引き付けてマスク３０の張力を除去することを容易にするように適合する熱膨張係数を持つようにすることができる。
【００２４】
上述の説明は本発明を実施するためのいくつかの可能性を説明したものである。多くの他の実施例が本発明の範囲と精神の範囲内において可能である。したがって、上述の記載は特定するためのものでなく説明のためのものであり、本発明の範囲は添付されたクレームとその均等の範囲により与えられることを意図するものである。
【図面の簡単な説明】
【００２５】
【図１】テンションマスクフレーム組立体を示すＣＲＴの断面図である。
【図２】テンションマスクフレーム組立体の外観図である。
【図３】テンションマスクフレーム組立体の背面図である。
【図４】昇温時テンションマスクフレーム組立体の背面図である。
【図５】張力除去部材の他の配置を示す前面概略図である。
【図６】張力除去部材の他の配置を示す前面概略図である。
【図７】張力除去部材の他の配置を示す前面概略図である。
【国際公開パンフレット】
2004535042.tif 000003
2004535042.tif 000004
2004535042.tif 000005
2004535042.tif 000006
2004535042.tif 000007
2004535042.tif 000008
2004535042.tif 000009
2004535042.tif 000010
2004535042.tif 000011
2004535042.tif 000012
2004535042.tif 000013
2004535042.tif 000014
【国際公開パンフレット（コレクトバージョン）】
2004535042.tif 000015
【国際調査報告】
2004535042.tif 000016
2004535042.tif 000017
2004535042.tif 000018